【事件の表示】
　平成　６年特許願第２２０４０８号「映像カラオケ装置」拒絶査定に対する審判事件［平成　８年　３月２６日出願公開、特開平　８−　８３０８８］について、次のとおり審決する。
【結　論】
　本件審判の請求は、成り立たない。
【理　由】
第１　手続の経緯・本願発明
　本願は、平成６年９月１４日の出願であって、その請求項１ないし３に係る発明は、平成１１年８月３１日付け手続補正書によって補正された明細書及び図面の記載からみて、その特許請求の範囲の請求項１ないし３に記載された事項によって特定されるところ、その請求項１に係る発明（以下「本願発明」という。）は、次のとおりのものである。
「【請求項１】　指定された曲の演奏データに基づいてカラオケ演奏を行なうカラオケ演奏手段と、
　利用者の歌唱音声を入力するための音声入力手段と、
　該音声入力手段を介して入力された音声を出力する音声出力手段と、
　上記音声入力手段を介して入力される上記利用者の音声データと上記カラオケ演奏手段にて演奏される指定曲の演奏データとに基づいて、歌唱力を採点する採点手段と、
　上記カラオケ演奏手段にて演奏される指定曲の演奏データと上記採点手段によって採点された得点情報とに基づき、その得点毎に予め設定されている所定の背景映像を再生させる映像再生手段と、
　を備えたことを特徴とする映像カラオケ装置。」
　
第２　引用された刊行物に記載された発明
１　原審の拒絶の理由に引用された、本願出願前に頒布された刊行物である特開平３−２８８１９３号公報（以下「刊行物１」という。）には、「３．選曲指令の入力により指定された曲目の音楽信号をレーザーディスク等の音楽記録手段より再生するとともに、これをカラオケ歌唱者の音声信号と混合して拡声する音響出力手段を有し、かつ上記曲目の演奏に伴って所定の映像を放映するテレビ装置等の映像表示手段を有するカラオケ装置において、入力される歌唱者の音声信号と予め記憶されている歌唱基準信号とを、演奏時間を複数に区画した各帯域毎に比較し、かつその比較信号に基づいて映像データ選択信号を時系列的に出力する制御手段と、上記各帯域に対応して互いに若干のストーリー性を有するとともに、歌唱レベルに対応する複数の映像データが並列的に記憶されてなる映像データ記憶エリアを有し、かつ上記制御手段からの映像データ選択信号に基づいた映像データが各映像データ記憶エリア内より時系列的に選択される映像データ制御手段と、を有することを特徴とするカラオケ装置。」（第１頁右下欄第１０行ないし第２頁左上欄第９行）、
「しかしながら、上記したような採点機能付きのカラオケ装置にあっては、確かに単に歌を唄うだけのものに比べて唄い終わった後に自分の歌唱レベルが採点されるというスリル性を有するが、予め設定されている歌唱基準値との比較によってその採点結果を数値表示するだけのものであり、娯楽性が低いという欠点を有している。また、曲の演奏中にその曲に合ったカラオケビデオが放映されるものは、カラオケの歌唱中に雰囲気を盛り上げることができるが、繰返し同一の曲が唄われた場合などにはそのカラオケビデオを見飽きてしまうという欠点を有している。」（第２頁左下欄第２行ないし第１３行）、
「第１図はこの発明に係るカラオケ装置の概略構成を示すブロック図である。１はカラオケ歌唱者の歌声を音声信号に変換し増幅するマイク等の音声入力手段である。２はレーザーディスク等の音楽記録手段であり、カラオケ演奏用の曲などが電気信号として記録されている。３は音楽信号再生手段であり、選曲指令の入力により上記音楽記録手段２から指定された曲の音楽信号などを電気信号として読み取り再生を行う。一方、４はROM,RAMなどよりなるマイクロコンピュータによって構成された制御手段であり、歌唱基準値読み取り部41,歌唱レベル比較部42,区画帯域読取り部43,映像選択信号発生部44,音響信号発生部45,偏位信号発生部46等が設けられている。上記音響信号発生部45においては、音楽信号再生手段３より出力された音楽信号と、音声入力手段１からの歌唱者の音声信号とを混合しこれを音響出力手段６へ出力する。また、歌唱基準値読取り部41および区画帯域読取り部43には、それぞれ音楽信号再生手段３によって読み取られた電気信号が入力されるが、その際歌唱基準値読取り部41においては、上記電気信号中よりその曲の歌唱基準値である歌唱基準信号を読み取り、これを歌唱レベル比較部42に入力する。同時に、区画帯域読取り部43においても音楽信号再生手段３から入力される電気信号中より、例えば曲中の一節一節等のようにその曲において区切るべき所定時間、すなわち各帯域を示す区画信号を読取りこれを歌唱レベル比較部42へ入力する。これにより、歌唱レベル比較部42では、区画された帯域毎に歌唱者レベルと歌唱基準値との比較を行い、その演算結果を比較信号として映像選択信号発生部44へ入力する。５は映像データ制御手段であり、この映像データ制御手段５には、例えば第２図に示すように、各帯域毎の映像データ記憶エリア51n1，・・・51nＸが直列的に、換言すれば時系列的に設けられるとともに、各映像データ記憶エリア51n1，・・・51nＸ内にはそれぞれ並列的に番地１〜Ｘの複数の映像データ記憶ブロックが設けられている。・・・（中略）・・・したがって、この場合にはカラオケ装置の選曲がスタートすると、まず一番目の帯域である映像データ記憶エリア51n1−１に記憶されている映像データが映像表示手段７に表示され、次いで所定時間の経過後に一番目の帯域である映像データ記憶エリア51n2−１の映像データが表示される。そして、歌が唱われて三番目の帯域の区画信号が検知されると、すなわち映像データ記憶エリア51n3の帯域が経過さると、その帯域において得られた歌唱レベルによって各映像データ記憶ブロック51n3−１〜51n3−４内のいずれかの映像データが選択され、先に放映されている映像データ記憶エリア51n2−１の映像に代えてこれが表示される。」（第３頁右下欄第４行ないし第４頁右下欄第８行）、
「以上のように、所定時間の帯域毎に歌唱者の音声信号と予め記憶されている歌唱基準信号とを比較し歌唱者の歌唱レベルに対応した比較信号を出力させるとともに、この比較信号に基づく映像データ選択信号によって適宜選択された映像を映像表示手段７に時系列的にストリー性をもって放映させるように構成した場合には、従来のカラオケ装置のように単に最終の採点結果のみを数値表示するだけのものや、所定のカラオケビデオを単に放映するだけのものに比して、スリル性やゲーム性等にも富みより一層娯楽性を向上させることができる。」（第５頁右下欄第１２行ないし第６頁左上欄第３行）、
「なお、この実施例においては、映像データを記憶する映像データ記憶ブロック51n3〜51nxは映像データ制御手段５に設けた場合について説明したが、これは予めレーザーディスク等の音楽記録手段に設けるように構成してもよいことは勿論である。」（第６頁左上欄第１９行ないし右上欄第４行）が記載されている。
　
２　同じく原審の拒絶の理由に引用された、本願出願前に頒布された刊行物である特開平６−１１０４７９号公報（以下「刊行物２」という。）には、「【請求項１】　演奏曲を再生する手段と、マイクから入力される音声を前記演奏曲と混合して出力する手段と、背景画像を表示する手段と、前記背景画像に重畳して歌詞画像を表示する手段と、唄い手の歌唱力を採点する手段と、前記歌唱力の採点結果に応じて次に再生する演奏曲、背景画像及び歌詞画像を選択する手段とを備えてなることを特徴とするカラオケ装置。」（第２頁第１欄第２行ないし第１０行）、
「しかしながら、単に採点結果を表示しても一時的なものとなり、歌い手の興味を維持するのは難しかった。本発明は、この点を改善し、唄い手の歌唱力によってシナリオを切替え、演奏曲や背景画面等に意外性を持たせることで、歌い手の興味を維持させ、楽しく歌唱力の向上を図ることを目的としている。」（第２頁第１欄第２８行ないし第３４行）、
「【実施例】以下、図面を参照して本発明の実施例を説明する。図１は、本発明の一実施例を示すブロック図である。同図において、１４は操作パネル等の選択手段であり、ここでのキー操作で演奏曲を選択することができる。１６は唄い手の歌を取り込むマイクであり、この歌はカラオケ演奏情報に基づく演奏曲と共に、ミキサ１７で混合されてスピーカ１８から出力される。２２はＣＲＴディスプレイ装置で、ここには演奏曲に応じた背景画像と曲の歌詞画像が表示される。以上の構成は、通常のカラオケ装置に標準的に備わっている。
【０００８】本発明では、上記構成に採点システム３０と映像進行制御手段４０とを追加する。これらは、例えばＣＰＵとＲＯＭ、ＲＡＭからなるプログラムで構成される。採点システム３０は、マイク１６から入力する唄い手の歌が、カラオケ演奏情報に従って再生される演奏曲に対しどの程度似ているのかを自動的に採点するシステムであり、その採点結果は点数（例えば、最高１００点、最低０点）として出力できる。映像進行制御手段４０は、シナリオ方式で演奏する場合に、スタートからエンディングまで順番に再生される演奏曲、背景画像及び歌詞画像を選択するための手段であり、これがシナリオ選択の機能を持つ。」（第２頁第２欄第１４行ないし第３５行）、
「【００１２】カラオケ演奏情報が読み出されると、演奏状態になるのでユーザはマイク１６を使用して唄い始める。採点システム３０はこの時の歌唱力を採点し、その結果を映像進行制御手段４０に入力してくるので、ステップＳ６では採点システムが合格採点したか否かを判定する。ここで、不合格採点をしたと判断されたら次のシナリオに進むこと無くゲームオーバとする。これが最も厳しいシナリオ進行である。ステップＳ６で合格採点と判定されたら、ステップＳ７へ進んで最終シナリオか否かを判定し、最終でないと判定されたらステップＳ８へ進む。このステップＳ８ではシナリオ選択を行う。このとき使用できる判断要素には、採点システムの採点とステップＳ５における選択曲がある。このステップでシナリオ選択をしたら、ステップＳ２に戻って選択されたシナリオを読み出し、同様の処理を繰り返す。やがて、ステップＳ７で最終シナリオと判定されたら、ステップＳ９でエンディング処理を行って終了する（ゲームオーバ）。」（第３頁第３欄第２１行ないし第３８行）、
「【００１６】画像作成装置１９は、必要に応じて伴奏演奏情報とともに供給される歌詞等の文字情報および静止画、動画等の画像情報を処理して表示用の画像信号を生成する。ＬＤ再生装置２０は、光ディスクに記録された映像情報を使用することが指定されたカラオケ曲を演奏する場合に機能し、伴奏演奏情報に同期して、所定のディスクの所定のフレームの静止画または所定のフレームを起点とする動画等からなる映像情報を再生する。このため、ＬＤ再生装置２０は、光ディスクのオートチェンジャ機能を有していることが望ましい。画像合成装置２１は、画像作成装置１９の出力とＬＤ再生装置２０の出力とを合成して、合成映像信号を生成する。ディスプレイ装置２２は、画像合成装置２１で合成された合成映像信号を表示する。」（第３頁第４欄第３２行ないし４５行）が記載されている。
　
３　同じく原審の拒絶の理由に引用された、本願出願前に頒布された刊行物である特開平４−３２６３８９号公報（以下「刊行物３」という。）には、「【請求項１】　複数種に分類される多数の曲に対応して、それぞれ複数の背景動画が記録された媒体を再生する映像信号再生装置において、上記多数の曲から特定の曲を選択するための選曲情報に基づいて、上記特定の曲の分類情報を発生する分類情報発生手段を設けると共に、上記特定の曲の分類情報に対応して、特定分類の上記複数の背景動画を択一的に再生するための制御情報を発生する制御情報発生手段を設けたことを特徴とする映像信号再生装置。」（第２頁第１欄第２行ないし第１０行）、
「【０００５】一般に、カラオケ装置で再生される音楽は、演歌、ポップス等のジャンルに大別されるが、ジャンル毎に、その内容が似通ったものが多く、必要とされる背景映像は曲が異なっても、ジャンル毎に、共用できるものがかなりあると考えられる。そこで、本出願人の一方は、特開昭６０?２１４１７８号公報において、コストを低減した映像つきカラオケ装置を提案している。」（第２頁第１欄第３３行ないし第３９行）、
「【００１３】かかる点に鑑み、この発明の目的は、複数のジャンルの多数の曲から特定曲が選択される際に、曲の記録媒体との組合せが自由な画像記録媒体から、特定曲のジャンルに対応する背景動画を自動的に選択することができる映像信号再生装置を提供するところにある。」（第２頁第２欄第５０行ないし第３頁第３欄第４行）、
「【００２９】上述のように、この実施例においては、カラオケ装置の選曲毎に、演歌とポップスの各ジャンルが自動判別されて、各ジャンル毎の再生画像制御情報がＶＤプレーヤに供給されるようにしたので、このＶＤプレーヤにセットされたビデオディスクからは、複数のチャプターに記録されている、各ジャンルの曲の内容にマッチした、それぞれ１曲分の背景動画像が、カラオケ装置の選曲毎に、演歌とポップスの各ジャンル別に、順次再生される。」（第４頁第５欄第３９行ないし第６欄第５行）が記載されている。
第３　対比・判断
１　本願発明は、刊行物１に記載された発明と対比すると、刊行物１に記載された「音楽信号」、「音楽記憶手段、音楽信号再生手段、音響信号発生部」、「歌唱者」、「音声入力手段」、「音響出力手段」、「歌唱レベル比較部」、「映像データ」、「映像選択信号発生部、映像データ制御手段、映像表示手段」、「カラオケ装置」、はそれぞれ、本願発明の「演奏データ」、「カラオケ演奏手段」、「利用者」、「音声入力手段」、「音声出力手段」、「採点手段」、「背景映像」、「映像再生手段」、「映像カラオケ装置」に相当するから、両者には、以下の一致点及び相違点がある。
　
一致点
　「指定された曲の演奏データに基づいてカラオケ演奏を行なうカラオケ演奏手段と、
　利用者の歌唱音声を入力するための音声入力手段と、
　該音声入力手段を介して入力された音声を出力する音声出力手段と、
　上記音声入力手段を介して入力される上記利用者の音声データと上記カラオケ演奏手段にて演奏される指定曲の演奏データとに基づいて、歌唱力を採点する採点手段と、
　その得点毎に予め設定されている所定の背景映像を再生させる映像再生手段と、
　を備えたことを特徴とする映像カラオケ装置。」
相違点
　映像再生手段が、本願発明においては、カラオケ演奏手段にて演奏される指定曲の演奏データと採点手段によって採点された得点情報とに基づき、その得点毎に予め設定されている所定の背景映像を再生させているのに対し、刊行物１に記載されている発明においては、採点手段によって採点された得点情報に基づき、その得点毎に予め設定されている所定の背景映像を再生させている点
　
２　そこで、上記相違点を検討すると、映像カラオケ装置において、背景画像を見飽きさせず、新鮮さを保つようにすること及び背景画像を指定曲の内容に沿ったものにすることは普通の課題であり、この課題解決のため、背景画像をジャンル毎に複数組設け、指定曲の演奏データに基づき再生させることは周知な技術手段（例えば、刊行物３、登録実用新案第３０００４３９号公報、特開平６−１１８９７７号公報を参照）に過ぎないし、刊行物１記載の発明において、「その得点毎に予め設定されている所定の背景映像」の範囲（ジャンル）について何ら制約がある訳でもない（「冒険に出発する男女」は、単なる例示に過ぎないものと認められる。）ばかりか、「その得点毎に予め設定されている所定の背景映像」が複数組あることを許容していない訳でもないから、また、刊行物２に「このとき使用できる判断要素には、採点システムの採点とステップＳ５における選択曲がある。」（第３頁第３欄第３１ないし第３３行）が記載されており、これは、判断要素として「採点」に「選択曲」を加えたものを示唆したものであるから、刊行物１に記載された発明において、採点手段によって採点された得点情報に、カラオケ演奏手段にて演奏される指定曲の演奏データを加え、これらに基づき、その得点毎に予め設定されている所定の背景映像を再生させることは、当業者が容易になし得たことである。
　
第４　むすび
　したがって、請求項１に係る発明は、当業者が刊行物１ないし３に記載された発明に基いて容易に発明をすることができたものであるから、特許法第２９条第２項の規定により、特許を受けることができない。
　よって、結論のとおり審決する。